(57)【要約】      （修正有）【課題】照明機能を利用した投影効果を有する超音波式芳香器を提供する。【解決手段】電動機構とライトを内蔵し、更に水タンクの底面に設けた穴にゴムパッキンを挟んで超音波振動体を配置し連結一体化した構造部分を有した基台と、取り外し自在で、噴出し口を有し、且つ光透過性を有した素材の前記基台部分を覆うカバー体とで構成し、前記カバー体内部には、取り外し自在のフィルムシートを収容する。フィルムシートは光透過性を有したものを使用し、所望の着色模様を光透過性又は光不透過性の塗料で施す。あるいは、所望の模様以外の面を光透過性又は光不透過性の塗料で施し、所望の模様部分を、着色せず、前記フィルムシート自体の色のままにするか、切り抜きにする。【選択図】図１
0003157629.tif 000002
【実用新案登録請求の範囲】
【請求項１】
電動機構とライトを内蔵し、更に水タンクの底面に設けた穴にゴムパッキンを挟んで超音波振動体を配置し連結一体化した構造部分を有した基台と、
取り外し自在で、噴出し口を有し、且つ光透過性を有した素材の前記基台部分を覆うカバー体とで構成される超音波式芳香拡散器において、
前記カバー体内部には、取り外し自在のフィルムシートが収容されており、
前記フィルムシートは、光透過性を有しており、
前記フィルムシートの面には、所望の着色模様が光透過性又は光不透過性の塗料で施されていることを特徴とする超音波式芳香拡散器。
【請求項２】
電動機構とライトを内蔵し、更に水タンクの底面に設けた穴にゴムパッキンを挟んで超音波振動体を配置し連結一体化した構造部分を有した基台と、
取り外し自在で、噴出し口を有し、且つ光透過性を有した素材の前記基台部分を覆うカバー体とで構成される超音波式芳香拡散器において、
前記カバー体内部には、取り外し自在のフィルムシートが収容されており、
前記フィルムシートは、光透過性を有しており、
前記フィルムシートの面には、所望の模様以外の面が光透過性又は光不透過性の塗料で施されており、
前記所望の模様部分は、着色されていない、又は切り抜かれていることを特徴とする超音波式芳香拡散器。
【考案の詳細な説明】
【技術分野】
【０００１】
本考案は、超音波を利用し芳香の霧を発生させる芳香器に関するものである。
【背景技術】
【０００２】
従来、超音波を液体に当てることにより、該液体が霧状になって室内に拡散される仕組みを用いた超音波式加湿器が考案されている。
【０００３】
そして、超音波式加湿器に照明機能を設けたものや、最近のアロマブームから、液体中に好みの香りの精油等を加えて芳香拡散器としての使用方法が知られている。
【特許文献１】実開昭５５−１５５３２号
【考案の開示】
【考案が解決しようとする課題】
【０００４】
しかしながら、室内を芳香させ、アロマの効果を得る以外にインテリアとしての機能を満たすには、単なる外観や照明機能の有無だけでは物足らず多くの改良の余地があった。
【０００５】
本考案は、上記問題を解決するため成されたもので、照明機能を利用した投影効果を有する超音波式芳香器を提供する。
【課題を解決するための手段】
【０００６】
請求項１に記載の考案は、電動機構とライトを内蔵し、更に水タンクの底面に設けた穴にゴムパッキンを挟んで超音波振動体を配置し連結一体化した構造部分を有した基台と、取り外し自在で、噴出し口を有し、且つ光透過性を有した素材の前記基台部分を覆うカバー体とで構成される超音波式芳香拡散器において、前記カバー体内部には、取り外し自在のフィルムシートが収容されており、前記フィルムシートは光透過性を有しており、前記フィルムシートの面には、所望の着色模様が光透過性又は光不透過性の塗料で施されていることを特徴とする。
【０００７】
請求項２に記載の考案は、電動機構とライトを内蔵し、更に水タンクの底面に設けた穴にゴムパッキンを挟んで超音波振動体を配置し連結一体化した構造部分を有した基台と、取り外し自在で、噴出し口を有し、且つ光透過性を有した素材の前記基台部分を覆うカバー体とで構成される超音波式芳香拡散器において、前記カバー体内部には、取り外し自在のフィルムシートが収容されており、前記フィルムシートは、光透過性を有しており、前記フィルムシートの面には、所望の模様以外の面が光透過性又は光不透過性の塗料で施されており、前記所望の模様部分は、着色されていない、又は切り抜かれていることを特徴とする。
【考案の効果】
【０００８】
請求項１に記載の考案によれば、超音波式芳香拡散器が作動すると、超音波振動体より超音波が水タンク内の液体に当たり、前記液体が霧状になってカバー体の噴出し口より室内に拡散すると共に、ライトが点灯することにより、光線がカバー体外方向に放出され、フィルムシートの着色模様が影絵となってカバー体に投影される。また、別模様に着色されたフィルムシートの取替えにより、部屋の雰囲気を変えることが出来る。
【０００９】
請求項２に記載の考案によれば、超音波式芳香拡散器が作動すると、超音波振動体より超音波が水タンク内の液体に当たり、前記液体が霧状になってカバー体の噴出し口より室内に拡散すると共に、ライトが点灯することにより、光線がカバー体外方向に放出され、フィルムシートの着色部分が影絵となり、模様部分はシート自体の色か光の色でカバー体に投影される。また、別模様のフィルムシートの取替えにより、部屋の雰囲気を変えることが出来る。
【考案を実施するための最良の形態】
【００１０】
本考案の超音波式芳香拡散器は、電動機構とライトを内蔵し、更に水タンクの底面に設けた穴にゴムパッキンを挟んで超音波振動体を配置し連結一体化した構造部分を有した基台と、取り外し自在で、噴出し口を有し、且つ光透過性を有した素材の前記基台部分を覆うカバー体とで構成し、前記カバー体内部には、取り外し自在のフィルムシートを収容する。      前記フィルムシートは光透過性を有したものを使用し、前記フィルムシートの面には、所望の着色模様を光透過性又は光不透過性の塗料で施す。
あるいは、所望の模様以外の面を光透過性又は光不透過性の塗料で施し、前記所望の模様部分を、着色せず、前記フィルムシート自体の色のままにするか、切り抜きにする。
【実施例】
【００１１】
以下、図面を参照して本考案に係る超音波式芳香拡散器の実施例を説明する。
図１は、本考案の超音波式芳香拡散器の斜視図であり、図２は、本考案の超音波式芳香拡散器を基台部とフィルムシート部とカバー体部とに分割した構造図であり、図３は、カバー体内部にフィルムシートが収容された様子を底面から見た図である。また、図４は、本考案の超音波式芳香拡散器の基台部断面図であり、図５は、本考案の超音波式芳香拡散器のフィルムシート別図案である。
【００１２】
まず、基台１は、上部外殻体２と下部外殻体３からなり、上部外殻体２は、水タンク４の底面に設けた穴５下にゴムパッキン１５を挟んで超音波振動体６を配置し、連結一体化した構造にしている為、水タンク４内の液体が振動で下部外殻体３内部に漏れなくなっている。
【００１３】
そして、下部外殻体３にはライト７と、ライト点灯や超音波振動体を振動させる電動機構８（装置）以外にも、基盤やこれらを連動するコード等が内蔵されている。
【００１４】
ここで、基台１の下部外殻体３に内蔵されているライト７は、ＬＥＤライトが望ましく、超音波振動体６より低い位置且つ超音波振動体６の周囲に複数個、等間隔に設置する。
【００１５】
更に、水タンク４は透明又は半透明にすることで、ライト７の光線が基台１を覆うカバー体９内に届きやすくなる。
【００１６】
次に、カバー体９は、光透過性を有した素材であれば、形状は特に限定しないが、本実施例のように立方体の形状でも曲面を有する形状でも光線が届く構造とする。
【００１７】
そして、カバー体９は、基台１と取り外し可能にし、カバー体９の底面開口部１０よりフィルムシート１１を挿入し、カバー体９内の側面と水タンク４との間で固定した後、基台１に被せる。
【００１８】
最後に、フィルムシート１１は、光透過性を有した素材であれば樹脂製、紙製等特に限定せず、前記フィルムシート１１の表面には、所望の着色模様１４が光透過性又は光不透過性の塗料で施されている。
【００１９】
そして、フィルムシート１１の表面の着色塗料が光透過性であれば、点灯時に着色した色がカバー体に投影されるが、光不透過性の塗料であれば、カバー体にはシルエットのみの投影となる。
【００２０】
また、模様部分以外の面を着色し、模様部分をそのまま着色しなければ、模様部分は、シート自体の色が、模様部分以外の面は、着色した色がカバー体に投影され、模様部分を切り抜けば、模様部分はライトの色が、模様部分以外の面は、着色した色がカバー体に投影される。
【００２１】
なお、着色模様１４は、文字、記号、図形、若しくはこれらの結合であっても構わないし、
着色する色は多色でも構わない。場合によれば、無模様のフィルムシートに自分でオリジナルの着色模様を施しても良い。
【００２２】
更に、本考案に係る超音波式芳香拡散器１２の実施例に示した機能にタイマー機能、光量調整機能、光点滅機能、光グラデーション機能を加えることで、何倍にも楽しみが増すことが出来る。
【００２３】
このように、好ましい実施例を挙げて本考案を説明したが、本考案はその実施例に限定されるものではなく、本考案の要旨の範囲内で種々に改変できる。
【図面の簡単な説明】
【００２４】
【図１】本考案の超音波式芳香拡散器の斜視図である。
【図２】本考案の超音波式芳香拡散器をカバー体部とフィルムシート部と基台部とに分割した構造図である。
【図３】本考案の超音波式芳香拡散器のカバー体内部にフィルムシートが収容された様子を底面から見た図である。
【図４】本考案の超音波式芳香拡散器の基台部断面図である。
【図５】本考案の超音波式芳香拡散器のフィルムシート別図案である。
【符号の説明】
【００２５】
１  基台
２  上部外殻体
３  下部外殻体
４  水タンク
５  穴
６  超音波振動体
７  ライト
８  電動機構
９  カバー体
１０  開口部
１１  フィルムシート
１２  超音波式芳香拡散器
１３  噴出し口
１４  着色模様
１５  ゴムパッキン
【図１】
0003157629.tif 000003
【図２】
0003157629.tif 000004
【図３】
0003157629.tif 000005
【図４】
0003157629.tif 000006
【図５】
0003157629.tif 000007